(57)【要約】      （修正有）【課題】鍋底に密着させる水切り敷き具や、平面収納の出来る水切り具、さらに、鍋敷きとしても使える敷き具を提供する。【解決手段】薄板（例えば、厚さ約２ｍｍ）を鍋の内径に沿うように略円形とし、外周に沿って複数のスリット３（例えば、幅約２ｍｍ、長さ５ｍｍから１０ｍｍ）に長手方向を間隔（例えば、約３ｍｍ）を持たせ連続して輪状に構成し、スリット輪部とする。各スリット輪部は複数（例えば、１０周、中心までの全てでも良い）同心円上に間隔（例えば、約３ｍｍ）をおいて隣接させ、各隣接したスリット輪部スリットの長手方向の端部を交互、又は重ならない（例えば、外側の中心付近の３分の１移動した位置）様に設ける。また、中央部付近は丸穴２（例えば、３ｍｍから５ｍｍ）や角穴や長穴を複数隙間の無いように設け、外周付近に把手４を設け、シリコンゴムで一体成形する。【選択図】図３
0003159553.tif 000002
【実用新案登録請求の範囲】
【請求項１】
柔軟材の薄板に多数の穴やスリットを設けた敷き具で、該敷き具の外形を略円形とし、外周に沿って複数のスリットを長手方向を接近させ連続して輪状に構成したスリット輪部を設け、該スリット輪部を複数同心円上に隣接させ、各隣接したスリット輪部のスリットの長手方向の端部を交互、又は重ならない様に設けた事を特徴とする水切り敷き具
【請求項２】
前記記載の敷き具の外周に幅広な平面や、湾曲したフランジ部を設けた事を特徴とする請求項１の水切り敷き具
【請求項３】
前記記載の敷き具の外周付近に把手を設けた事を特徴とする請求項１から請求項２の水切り敷き具
【請求項４】
前記記載の柔軟材をシリコンゴムで構成した事を特徴とする請求項１から請求項３の水切り敷き具
【請求項５】
前記記載の柔軟材をフッ素樹脂で構成した事を特徴とする請求項１から請求項３の水切り敷き具
【考案の詳細な説明】
【技術分野】
【０００１】
本考案は、主として鍋や釜等により煮物、茹で物をする際、鍋や釜と食材の間に敷き、煮物を焦がさない様にしたり、煮物、茹で物を崩さないで食材を一気に掬い上げたり、調理ボールなど野菜などの間に敷き水切りする水切り敷き具に関するものである。
【背景技術】
【０００２】
従来、鍋や釜等で魚や野菜、肉類、麺類等を煮る、茹でる等の調理をする際、うっかりして鍋底に焦がしてしまう事や、煮上がった、具を取り上げる際に崩してしまう事があった。また、調理用ボールなどで野菜を洗う際に網を使用した時、網に野菜が目詰まりしたり、網で野菜が崩れたりする事があった。
【０００３】
特許文献１に食品を包んで蒸し焼きにするためのシートがあるが、食材を包むものである。
特許文献２に調理器具で蒸し物、炒め物、焼き物、揚げ物、煮物等の多くの調理ができる蒸し器、フライパン、鍋としての多機能を備えた調理器具があるが、網部は蒸す目的であり、鍋と食材の間に敷き、柔軟性があって投網状に広がるものではない。
特許文献３に内容物を収納して冷凍保存しておき、使用時にそのまま蒸し器に入れて調理することができるとともに、蒸し調理する際の蒸気の通りがよく、蒸し調理して放置した際に袋の内面に水分が露結しにくく、且つ露結が生じた場合でも水分により内容物がべたつくことのない、包装されている内容物を視認することができる蒸し調理用袋があるが、水分が結露しにくく、べたつかないシートである。
【特許文献１】特許公開２００９−２０１６３８号公報
【特許文献２】特許公開２００７−２６７８７２号公報
【特許文献３】特許公開２００５−６７６３５号公報
【考案の開示】
【考案が解決しようとする課題】
【０００４】
従来、煮物をする際、落とし蓋や蒸し料理する敷き具はあったが、鍋の内側で、食材の下に敷くものは無かった。また、柔軟性に富んだ網は無かった。
【課題を解決するための手段】
【０００５】
本考案の水切り敷き具は、前述の課題に鑑み、鋭意研鑽の結果、
柔軟材の薄板に多数の穴やスリットを設けた敷き具で、該敷き具の外形を略円形とし、外周に沿って複数のスリットを長手方向を接近させ連続して輪状に構成したスリット輪部を設け、該スリット輪部を複数同心円上に隣接させ、各隣接したスリット輪部のスリットの長手方向の端部を交互、又は重ならない様に設けたものである。
また、該敷き具の外周に幅広な平面や、湾曲したフランジ部を設けたものである。
さらに、該敷き具の外周付近に把手を設けたものである。
その上、該敷き具をシリコンゴムや、フッ素樹脂で構成したものである。
【考案の効果】
【０００６】
本考案の水切り敷き具は、外周に沿って設けたスリット輪部は、各隣接したスリット輪部のスリット端部が交互に設けられる事により、折り紙にハサミを入れ、網目状にした投網状となり、水切り敷き具の中央部に対し外周部が網状に伸びると共に、鍋の底部から外壁に掛けての丸みに密着する。このため、水切り敷き具に載った食材を鍋底から、周辺にかけて鍋壁面との接触から保護すると共に、網に掛かる様に引き上げられる。また、各種の食材を煮る、茹でる際に食材の下部に敷くことにより直接食材が鍋底にあたる事を防止し、鍋底での焦げを防止する。例えば煮魚を水切り敷き具ごと持ち上げる事により、壊さず取り出す事ができるものである。また、麺類をそっくり一気に引き上げる事が出来る。また、煮た、茹でた食材を水切り敷き具の把手部により引き上げ、一気に取り出すことが出来るものである。また、調理用ボール等に対し、食材の下に敷くことにより、野菜、果物、パスタ類等の水切りが出来ると共に、柔軟材で構成されているため、編み目で食材を痛めることも無く、目詰まりも解消すると共に、薄板状のため保管スペースも少なくて済む。さらに、投網状のため鍋底の底面の形状やサイズの大小にも対応し密着するため鍋の大小に係わらず併用が出来る。
さらには、外周に幅広な平面や、湾曲したフランジ部を設けることにより、調理用ボールや鍋の縁に平面部や湾曲したフランジ部を掛ける事により取り付けられ、底部を浮かせ、水切りや、蒸し料理としても使える。また、水切り敷き具に野菜等をくるみ、絞ることにより水切りが出来る。また、シリコンゴムやフッ素樹脂で構成することにより耐熱性が高いため、鍋敷きとして使用したりと、多用途に使用できる便利なものである。
【考案を実施するための最良の形態】
【０００７】
外周付近は薄板（例えば、厚さ約２ｍｍ）を鍋の内径に沿うように略円形とし、外周に沿って複数のスリット（例えば、幅約２ｍｍ、長さ５ｍｍから１０ｍｍ）に長手方向を間隔（例えば、約３ｍｍ）を持たせ連続して輪状に構成し、スリット輪部とする。
各スリット輪部は複数（例えば、１０周、中心までの全てでも良い）同心円上に間隔（例えば、約３ｍｍ）をおいて隣接させ、各隣接したスリット輪部スリットの長手方向の端部を交互、又は重ならない（例えば、外側の中心付近の３分の１移動した位置）様に設ける。また、中央部付近は丸穴（例えば、３ｍｍから５ｍｍ）や角穴や長穴を複数隙間の無いように設け、外周付近に把手を設け、シリコンゴムで一体成形する。また、中央部付近は平面を保つために補強用のリブを形成しても良い。また、裏面には、鍋面から浮かす為に複数の凸状（例えば、高さ約０．５ｍｍ）のイボやリブを設けても良い。
フッ素樹脂を使用した場合、薄厚（例えば、約０．３ｍｍ）のフッ素樹脂のフィルムやシートに、鍋の内径に沿うように略円形とし、外周に沿って複数の切り込みによるスリット（例えば、長さ５ｍｍから１０ｍｍ）を長手方向に間隔（例えば、約３ｍｍ）を持たせ連続して輪状に構成し、スリット輪部とし、各スリット輪部は複数（例えば、約１０周、中心まで設けても良い）同心円上に間隔（例えば、約２ｍｍ）をおいて隣接させ、各隣接したスリット輪部のスリット長手方向の端部を交互、又は重ならないように設ける。また、中央部付近は丸穴や角穴や長穴を複数隙間の無いように設ける。
また、フッ素樹脂は、フィルムやシートを積層したものや、ガラスクロスや金属ワイヤ等を芯材とし、フッ素樹脂フィルムを圧縮成型しても良いものである。
また、外周に２０ｍｍ前後の幅広な平面部を設け、調理用ボール等の縁に掛かりフランジ状を形成する縁を設ける。
外周付近の把手は把手を持ち上げた時に水切り敷き具の縁部が歪まないように、複数カ所（例えば、片側の把手に４本）からの把手に繋がる帯、ひも状の吊り部を設ける。又、板状でも、スリット等のある板状でも良い。
【実施例】
【０００８】
以下、本考案の水切り敷き具を実施例の図面によって具体的に説明すると、
図１に、水切り敷き具の実施例の斜視図を示し、水切り敷き具１は中央付近に穴２を複数隙間無く設け、中央部から外周に掛けて、スリット輪部３を複数設けたものである。スリット輪部３は各スリット３ａの長手方向にスリット端部の隙間３ｂを有し、スリット輪部３間とで切り紙の投網状の形状を形成している。
図２に、水切り敷き具の他の実施例、斜視図を示し、水切り敷き具１は中央付近に穴２を複数隙間無く設け、中央部から外周に掛けて、スリット輪部３を複数設けたものである。スリット輪部３は各スリット３ａの長手方向にスリット端部の隙間３ｂを有し、スリット輪部３間とで切り紙の投網状の形状を形成し、外周に把手４を設けている。
図３に、水切り敷き具の使用例の一部断面、斜視図を示し、鍋７の内部に水切り敷き具１を敷き、食材８を載せた状態を示す。鍋７の底部から壁面にかけ、スリット輪部３が覆い、フェンス５がその上部を覆っている状態を示す。
図４に、水切り敷き具の他の実施例、平面図と正面図を示し、水切り敷き具１は中央付近に穴２を複数隙間無く設け、中央部から外周に掛けて、スリット輪部３を複数設けたものである。スリット輪部３は各スリット３ａの長手方向にスリット端部の隙間３ｂを有し、スリット輪部３間とで切り紙の投網状の形状を形成し、その周辺には、フェンス５を有する。フェンス５の各両側は切り込みが有り、鍋壁面の立ち上がり部を覆うものであり、鍋のサイズの違いを補うものである。
図５に、水切り敷き具の他の実施例、平面図と正面図を示し、水切り敷き具１は中央付近に穴２を複数隙間無く設け、中央部から外周に掛けて、スリット輪部３を複数設けたものである。スリット輪部３は各スリット３ａの長手方向にスリット端部の隙間３ｂを有し、スリット輪部３間とで切り紙の投網状の形状を形成し、周辺には、幅広の穴のない平面、フランジ部６を有する。
図６に、図５の水切り敷き具を調理用ボール９に載せた状態を示し、フランジ部６が調理用ボール９の縁に掛かり、各スリット輪部３のスリット端部の隙間３ｂを介して、底部が下方に下がり調理用ボール９に沿って中央部に窪みが出来るものである。ここではフランジ部は平面であるが、調理用ボールの縁に掛かる湾曲や、フック、凸部を設けても良い。また、底面は平面を保ちやすいように、補強用の凸状のリブを設けても良い。
【図面の簡単な説明】
【０００９】
【図１】水切り敷き具の実施例の斜視図を示す。
【図２】水切り敷き具の他の実施例、斜視図を示す。
【図３】水切り敷き具の使用例の一部断面、斜視図を示す。
【図４】水切り敷き具の他の実施例、平面図と正面図を示す。
【図５】水切り敷き具の他の実施例、平面図と正面図を示す。
【図６】水切り敷き具の他の実施例、斜視図を示す。
【符号の説明】
【００１０】
１：鍋底敷き具
２：穴
３：スリット輪部
３ａ：スリット
３ｂ：スリット端部の隙間
４：把手
５：フェンス
６：フランジ部
７：鍋
８：食材
９：調理用ボール
【図１】
0003159553.tif 000003
【図２】
0003159553.tif 000004
【図３】
0003159553.tif 000005
【図４】
0003159553.tif 000006
【図５】
0003159553.tif 000007
【図６】
0003159553.tif 000008
【手続補正書】
【提出日】平成22年3月23日(2010.3.23)
【手続補正１】
【補正対象書類名】実用新案登録請求の範囲
【補正対象項目名】全文
【補正方法】変更
【補正の内容】
【実用新案登録請求の範囲】
【請求項１】
柔軟材の薄板に多数の穴やスリットを設けた敷き具で、該敷き具の外形を略円形とし、外周に沿って複数のスリットを長手方向を接近させ連続して輪状に構成したスリット輪部を設け、該スリット輪部を複数同心円上に隣接させ、各隣接したスリット輪部のスリットの長手方向の端部を交互、又は重ならない様に設けた事を特徴とする水切り敷き具
【請求項２】
前記記載の敷き具の外周に幅広な平面や、湾曲したフランジ部を設けた事を特徴とする請求項１の水切り敷き具
【請求項３】
前記記載の敷き具の外周付近に把手を設けた事を特徴とする請求項１から２のいずれか１項に記載の水切り敷き具
【請求項４】
前記記載の柔軟材をシリコンゴムで構成した事を特徴とする請求項１から３のいずれか１項に記載の水切り敷き具
【請求項５】
前記記載の柔軟材をフッ素樹脂で構成した事を特徴とする請求項１から３のいずれか１項に記載の水切り敷き具